(57)【要約】【課題】この発明の主な目的は、機器脚部の高さ調整に際し低床化を図りやすく、かつ横揺れの防振効果に優れた設置台を提供することである。【解決手段】防振材を装着して接地面に据え付けられる円盤状のフレーム部材と、フレーム部材の上面に搭載された取付ボルトとで構成されており、前記防振材は上面に同心円状の１つもしくは複数のリブを備えるとともに、少なくともその１つは下に向かって拡がるテーパ状断面に形成され、前記円盤状のフレーム部材は、下面に前記防振材の同心円状の１つもしくは複数のリブに対応する１つもしくは複数の凹溝を形成するとともに、外周には前記防振材の外周面にはまり合う突条ガイドが立設され、前記機器脚部への取付ボルトは、下端に前記フレーム部材の上面に設けたボルト受け凹部にはめ込むピボットを形成され、前記ナット部を回転させて各種機器類を所定の高さで保持することができるようにしたことを特徴とする設置台。【選択図】  図８
2009250404.tif 000002
【特許請求の範囲】
【請求項１】
下面に防振材を装着して接地面に据え付けられる円盤状のフレーム部材と、フレーム部材の上面に設けたボルト受け凹部にピボット状に搭載された、各種機器類の脚部への取付ボルトとで構成されており、
前記防振材は上面に同心円状の１つもしくは複数のリブを備えるとともに、少なくともその１つは下に向かって拡がるテーパ状断面に形成され、
前記円盤状のフレーム部材は、下面に前記防振材の同心円状の１つもしくは複数のリブに対応する１つもしくは複数の凹溝を形成するとともに、少なくともその１つは前記テーパ状断面のリブに対応して凹溝の底面に向かってつぼまるテーパ状断面に形成されていて、外周には前記防振材の外周面にはまり合う突条ガイドが立設され、
前記機器脚部への取付ボルトは、下端に前記フレーム部材の上面に設けたボルト受け凹部にはめ込むピボットと、かつその適所に取付ボルトを回転させるナット部とを一体的に形成され、
前記ナット部を回転させて各種機器類を所定の高さで保持することができるようにしたことを特徴とする設置台。
【請求項２】
前記防振材の外周面の端面を約１２０°に面取りするとともに、前記円盤状のフレーム部材の外周に設けた突条ガイドの内周面に前記面取り面に対応する傾斜面を設けたことを特徴とする請求項１に記載の設置台。
【請求項３】
前記機器脚部への取付ボルトの下端に設けたピボットのＶ字状の断面角度と、前記フレーム部材の上面に設けたボルト受け凹部のＶ字状の断面角度とをそれぞれ約１２０°としたことを特徴とする請求項１または２に記載の設置台。
【発明の詳細な説明】
【技術分野】
【０００１】
この発明は、例えば種々の精密機械や射出成形機のように水平度を必要とするような機器や、プレス機或いはコンプレッサーなど振動を伴うような機器、半導体製造装置等の脚部に取り付けて高さを調整するために使用される設置台に関する。
【背景技術】
【０００２】
従来、機器の高さを調整し、機器の水平度を安定化させて床面に設置するとともに、機器自体の振動或いは外部からの振動を緩衝する防振材を備えた設置台は、例えば、本発明者による特許第３８７３１５７号公報（特許文献１参照）および特許第４０３５８２９号公報（特許文献２参照）に記載の発明が知られている。
【０００３】
そして上記従来例は、上部に筒状（雌ネジ）部を設けた盤状のフレーム部材と、上記筒状（雌ネジ）部にはめ込んだ、ナット部を有する筒状の回転台と、上記回転台に取り付けた機器等の脚を取り付ける取付ボルトとで構成されている。
【０００４】
この設置台を取扱う際には、機器脚部の高さを調整する場合は、先ず取付ボルトを緩め、ナット部を回転させることによって筒状の回転台をフレーム部材に対して回転させる。この筒状の回転台の回転によってフレーム部材に対して取付ボルトの螺合位置が上下し、機器脚部の高さを調整する。調整後、設置台はナットで取付ボルトを締め付けて機器脚部に固定し、床面に設置される。このようにして設置台は、機器脚部に容易に取り付けられ、機器類を床面に対して水平に安定して設置することができる。
【特許文献１】特許第３８７３１５７号公報
【特許文献２】特許第４０３５８２９号公報
【非特許文献１】http://www.airloc.com/pdf.htm
【発明の開示】
【発明が解決しようとする課題】
【０００５】
しかしながら、前記いずれの先行技術も上部に筒状（雌ネジ）部を設けた盤状のフレーム部材を用いているため、一定の高さよりも低くすることができず、顧客から低床化した商品を要求されてもその要求に対応することができなかった。
【０００６】
また低床化した製品としてすでに、下面に防振材を装着して接地面に据え付けられる円盤状のフレーム部材と、フレーム部材の上面に設けたボルト受け凹部に搭載される、各種機器類の脚部への取付ボルトとで構成された設置台（商品名  Ａｉｒｌｏｃ「Ａｉｒｌｏｃ社製」http://www.airloc.com/pdf.htm非特許文献１参照）が存在するが、防振材とフレーム部材とが一体化されており、横揺れの防振効果に乏しいという問題点があった。
【０００７】
この発明の主な目的は、機器脚部の高さ調整に際し低床化を図りやすく、かつ横揺れの防振効果に優れた設置台を提供することである。
この発明の目的はまた、構造が単純で設置作業を用意に行なうことができ、しかも設置時における設置台の方向が問われることがないため設置が簡単に行なえる設置台を提供することである。
【課題を解決するための手段】
【０００８】
この発明の設置台は前記目的を達成するためになされたもので、下面に防振材を装着して接地面に据え付けられる円盤状のフレーム部材と、フレーム部材の上面に設けたボルト受け凹部にピボット状に搭載された、各種機器類の脚部への取付ボルトとで構成されており、
前記防振材は上面に同心円状の１つもしくは複数のリブを備えるとともに、少なくともその１つは下に向かって拡がるテーパ状断面に形成され、
前記円盤状のフレーム部材は、下面に前記防振材の同心円状の１つもしくは複数のリブに対応する１つもしくは複数の凹溝を形成するとともに、少なくともその１つは前記テーパ状断面のリブに対応して凹溝の底面に向かってつぼまるテーパ状断面に形成されていて、外周には前記防振材の外周面にはまり合う突条ガイドが立設され、
前記機器脚部への取付ボルトは、下端に前記フレーム部材の上面に設けたボルト受け凹部にはめ込むピボットと、かつその適所に取付ボルトを回転させるナット部とを一体的に形成され、
前記ナット部を回転させて各種機器類を所定の高さで保持することができるようにしたことを特徴とするものである。
【０００９】
この発明の設置台はまた、前記防振材の外周面の端面を約１２０°に面取りするとともに、前記円盤状のフレーム部材の外周に設けた突条ガイドの内周面に前記面取り面に対応する傾斜面を設けたことをも特徴とするものである。
【００１０】
この発明の設置台は、前記機器脚部への取付ボルトの下端に設けたピボットのＶ字状の断面角度と、前記フレーム部材の上面に設けたボルト受け凹部のＶ字状の断面角度とをそれぞれ約１２０°としたことをも特徴とするものである。
【発明の効果】
【００１１】
この発明の設置台によれば、機器脚部の高さ調整に際し低床化を図りやすく、かつ横揺れの防振効果に優れた設置台を提供することができるようになった。
またこの発明の設置台によれば、構造が単純で設置作業を用意に行なうことができ、しかも設置時における設置台の方向が問われることがないため設置が簡単に行なえるようになった。
【発明を実施するための最良の形態】
【００１２】
以下、この発明の設置台の好ましい実施の形態について、添付図面を参照して詳細に説明する。
図面はこの発明の設置台の１実施例を示すものであり、図１は防振材の平面図、図２はその中央横断面図、図３はフレーム部材の平面図、図４はその中央横断面図、図５は取付ボルトの平面図、図６はその側面図、図７は各パーツの組付状態を説明するための平面図、図８はその中央横断面図である。
【００１３】
この発明の設置台１０は、図１ないし図６に示すように、下面に防振材１２を装着して接地面に据え付けられる円盤状のフレーム部材１１と、フレーム部材１１の上面に設けたボルト受け凹部１３にピボット状に搭載された、各種機器類の脚部への取付ボルト１４とで構成されている。
【００１４】
前記防振材１２は硬質ゴム（例えばＮＢＲ等）やエンジニアリングプラスチック等の剛性と弾性とを備えた素材からなり、図１および図２に示すように、上面に同心円状の複数のリブ２１−１，２１−２，２１−３を備えるとともに、中央のリブ２１−２は下に向かって拡がるテーパ状の傾斜面に、また他のリブ２１−１，２１−３は垂直壁を備えた断面形状に形成されている。前記各リブの上部端面は約１２０°の角度に形成されている。２２は中央の貫通孔である。
また、前記防振材１２の外周面の端面は約１２０°に面取りしてあり、円盤状のフレーム部材１１の外周に設けた突条ガイド２３の内周面にも、前記面取り面に対応する傾斜面が設けてある。
【００１５】
さらに前記円盤状のフレーム部材１１は、図３および図４に示すように、下面に前記防振材１２の同心円状の複数のリブ２１−１，２１−２，２１−３に対応する複数の凹溝２４−１，２４−２，２４−３を形成されている。また該複数の凹溝２４−１，２４−２，２４−３の中央の凹溝２４−２は、前記テーパ状断面の中央のリブ２１−２に対応して凹溝２４−２の底面に向かってつぼまるテーパ状断面に形成されている。そして前記フレーム部材１１の上面にはボルト受け凹部１３が形成され、またその外周には前述のように、前記防振材１２の外周面にはまり合う突条ガイド２３が立設されている。２８は中央の貫通孔である。
【００１６】
以上のように、前記防振材１２の上面の同心円状の複数のリブ２１−１，２１−２，２１−３と前記円盤状のフレーム部材１１下面の複数の凹溝２４−１，２４−２，２４−３を係合させるとともに、テーパ状の傾斜面を有する中央のリブ２１−２とテーパ状断面に形成された中央の凹溝２４−２とを係合させることにより、地震等の横揺れの際にもこのテーパ部分が横揺れを吸収することが実験的に確認されている。
【００１７】
この地震等の横揺れの際にもこのテーパ部分が横揺れを吸収するという機能は、防振材１２の外周面の端面の面取り部分と円盤状のフレーム部材１１の外周に設けた突条ガイド２３の傾斜した内周面とを係合させた点にも存在することはいうまでもない。
また、垂直壁を備えた断面形状の他のリブ２１−１，２１−３およびこれに対応する複数の凹溝２４−１，２４−３は、相互にかみ合うことによって通常時には確実にグリップ力を働かせ、機器類の振動を吸収することができる。
前記１つもしくは複数のリブおよび凹溝の数や間隔、またリブが複数の場合のテーパ状の傾斜面を有するリブと垂直壁のリブとの配置等は、設計段階において決定または変更することができる。
また、前記テーパ状の傾斜面を有する中央のリブ２１−２は側壁が傾斜していればよく、例えばかまぼこ型の弧状断面であってもよい。もちろん、テーパ状断面に形成された中央の凹溝２４−２もこれに対応するようにかまぼこ型の弧状断面とすることができる。前記防振材１２の外周面の端面の面取り部分と円盤状のフレーム部材１１の外周に設けた突条ガイド２３の傾斜した内周面も、このようなかまぼこ型の弧状断面とすることができる。
【００１８】
また、フレーム部材１１を上述のように円盤状に構成しておけば、角型の場合のような方向性が求められることがなく、方向に留意することなく極めて簡便に設置することができるようになる。
【００１９】
次に、前記機器脚部への取付ボルト１４は、図５および図６に示すように、下端に前記フレーム部材１１の上面に設けたボルト受け凹部１３にはめ込むピボット２５と、かつその最下部に取付ボルト１４を回転させるナット部２６とを一体的に形成されている。
この発明の設置台は、前記機器脚部への取付ボルト１４の下端に設けたピボット２５のＶ字状の断面角度と、前記フレーム部材１１の上面に設けたボルト受け凹部１３のＶ字状の断面角度とをそれぞれ約１２０°としてある。
なお、前記ナット部２６と前記フレーム部材１１の上面との間には、地震等における横揺れの際のがたつきにも対応できるように隙間２７を開けておくことが望ましい。
【００２０】
このように、ピボット２５のＶ字状の断面角度と、ボルト受け凹部１３のＶ字状の断面角度とをそれぞれ約１２０°としておくことにより、ピボット２５を円盤状のフレーム部材１１のボルト受け凹部１３の中心へ、簡単に位置決め（求心）できるようにすることができる。
【００２１】
上記設置台１０は、図７および図８に示すように、防振材１２を装着して接地面に据え付けた円盤状のフレーム部材１１の上面に設けたボルト受け凹部１３に、取付ボルト１４の先端をピボット状に搭載して使用するものである。
そして、取付ボルト１４のナット部２６を回すことにより、取付ボルト１４を自由に回転させることができる。したがって、取付ボルト１４を機器類に設けた取付孔の雌ネジ部にはめ込み、レンチ等でナット部２６を回して取付ボルト１４を回転させることにより、機器類の高さを迅速に調整することができる。すなわち、種々の機器類の４隅、あるいはその他の適所に設けた脚部にこの発明の設置台１０を取り付け、レベル等を見ながら適宜その高さを調整することにより、機器類の高さを調整すればよい。機器類の高さ方向の位置固定は、機器類の底面に向けて締付ナット２９を締め付けることにより簡単に行なうことができる。
【００２２】
この発明の設置台１０の操作において、取付ボルト１４を機器類に設けた脚部の取付孔の雌ネジ部にはめ込み、レンチ等でナット部２６を回して取付ボルト１４を回転させる際、ナット部２６がフレーム部材１１に近接しているので、レンチがナット部２６から外れにくくなり、簡便かつ迅速に取付ボルト１４を回転させることができる。
【００２３】
なお、この発明の設置台１０は上記実施例に述べた構造に限らず、この発明の要旨を変更しない限り、適宜その設計を変更して用いることが可能である。
【産業上の利用可能性】
【００２４】
この発明の設置台によれば、例えば種々の精密機械や射出成形機のように水平度を必要とするような機器や、プレス機或いはコンプレッサーなど振動を伴うような機器、半導体製造装置等の脚部に取り付けて高さを調整するために使用される設置台を提供することができる。もちろん、この発明を逸脱しない範囲で類似の用途に応用できることはもちろんである。
【図面の簡単な説明】
【００２５】
【図１】この発明の設置台の１実施例を示す防振材の平面図である。
【図２】その中央横断面図である。
【図３】フレーム部材の平面図である。
【図４】その中央横断面図である。
【図５】取付ボルトの平面図である。
【図６】その側面図である。
【図７】各パーツの組付状態を説明するための平面図である。
【図８】その中央横断面図である。
【符号の説明】
【００２６】
１０  設置台
１１  フレーム部材
１２  防振材
１３  ボルト受け凹部
１４  取付ボルト
２１−１，２１−２，２１−３  リブ
２２  貫通孔
２３  突条ガイド
２４−１，２４−２，２４−３  凹溝
２５  ピボット
２６  ナット部
２７  隙間
２８  貫通孔
２９  締付ナット
【図１】
2009250404.tif 000003
【図２】
2009250404.tif 000004
【図３】
2009250404.tif 000005
【図４】
2009250404.tif 000006
【図５】
2009250404.tif 000007
【図６】
2009250404.tif 000008
【図７】
2009250404.tif 000009
【図８】
2009250404.tif 000010